(57)【要約】【課題】受信した印刷データの用紙サイズが用紙切れであった場合であっても、ユーザが用紙サイズの揃った印刷物を得られ、かつ、記憶領域の圧迫を防ぐことができる印刷装置を提供する。【解決手段】ファクシミリ装置２において、通信回線を介して送信側のファクシミリ装置から受信したファクシミリデータについて、記録用紙に印刷処理を行う。このファクシミリデータの印刷中に、印刷処理が行われる記録用紙が格納された用紙トレイが空にになった場合であって、他の用紙トレイには、異なる用紙サイズの記録用紙しかない時には、印刷済みの部分を含むファクシミリデータの先頭から、再度印刷し直す。【選択図】図１
2007301926.tif 000002
【特許請求の範囲】
【請求項１】
通信回線を介してデータを受信するデータ受信手段と、
複数種別の記録用紙が格納可能な記録用紙格納手段と、
前記データ受信手段により受信したデータを、前記記録用紙格納手段に格納された記録用紙に印刷する印刷手段と、
前記印刷手段により印刷するデータが複数枚の記録用紙に渡る場合に、前記印刷手段により印刷した第１記録用紙と、前記第１記録用紙の次に印刷されようとする第２記録用紙とが同一種別の記録用紙であるか否かを判断する用紙種別判断手段と、
前記用紙種別判断手段により、異なる種別の記録用紙であると判断された場合に、前記データ受信手段により受信したデータの始めから前記印刷手段に再印刷させる印刷制御手段と、
を備えることを特徴とする印刷装置。
【請求項２】
前記データ受信手段は、前記データとして他の通信装置から送信されたファクシミリデータを受信し、前記印刷手段は、前記ファクシミリデータを印刷することを特徴とする請求項１に記載の印刷装置。
【請求項３】
前記用紙種別判断手段は、前記記録用紙の種別として、記録用紙の用紙サイズが同一であるかを判断することを特徴とする請求項１または請求項２に記載の印刷装置。
【請求項４】
前記用紙種別判断手段により、異なる種別の記録用紙であると判断された場合に、変倍が必要であるかを、前記第１記録用紙の用紙サイズおよび前記第２記録用紙の用紙サイズから判断するデータ変倍判断手段と、
前記データ変倍判断手段により変倍が必要であると判断した場合には、前記データ受信手段により受信したデータを、記録媒体の種別に応じて変倍するデータ変倍手段と、をさらに備え、
前記印刷制御手段は、前記データ変倍手段により変倍したデータを、前記印刷手段に再印刷させることを特徴とする請求項３に記載の印刷装置。
【請求項５】
通信回線を介してデータを受信するデータ受信手段と、
複数種別の記録用紙がそれぞれ格納可能な記録用紙格納手段と、
前記データ受信手段により受信したデータを、前記記録用紙格納手段に格納された記録用紙に印刷する印刷手段と、
前記印刷手段により印刷するデータが複数枚の記録用紙に渡る場合に、前記記録用紙格納手段に格納された複数種別の記録用紙の中から、記録用紙の残量が、他の記録用紙の残量より多い記録用紙を判断する用紙残量判断手段と、
前記用紙残量判断手段により判断された記録用紙を、前記印刷手段によりデータを印刷する記録用紙として選択する記録用紙選択手段と、
を備えることを特徴とする印刷装置。
【発明の詳細な説明】
【技術分野】
【０００１】
本発明は、複数枚に渡る印刷データを記録用紙に印刷する印刷装置に関する。
【背景技術】
【０００２】
従来、ファクシミリ装置（印刷装置）が、画像データを受信すると、印刷用画像データに変換し、印刷処理が行われるとき、受信サイズがＡ４サイズの場合に、給紙カセットにＡ４サイズが存在せず、Ａ３サイズの用紙が存在する場合には、Ａ３サイズの用紙の１枚目に、Ａ４サイズ用印刷データの第１頁と第２頁を印刷し、２枚目に第３頁と第４頁とを印刷する、といった技術が知られている（特許文献１参照）。
【０００３】
【特許文献１】特開２００２−２８１２３２号公報
【発明の開示】
【発明が解決しようとする課題】
【０００４】
しかしながら、印刷物の用紙サイズを揃えるためには、Ａ４サイズの印刷データであれば少なくともＡ３サイズの用紙が給紙カセットに存在しなければならず、このような用紙が給紙カセットに存在しない場合には、Ａ４サイズの用紙が給紙カセットに補給されるまで、印刷データをメモリに蓄積しておかなければならない。
【０００５】
本発明は、このような問題に鑑み、受信した印刷データの用紙サイズが用紙切れであった場合であっても、ユーザが用紙サイズの揃った印刷物を得られ、かつ、印刷データを蓄積するメモリ領域の圧迫を防ぐことができる印刷装置を提供することを目的とする。
【課題を解決するための手段】
【０００６】
かかる目的を達成するためになされた請求項１に記載の印刷装置は、通信回線を介してデータを受信するデータ受信手段と、複数種別の記録用紙が格納可能な記録用紙格納手段と、前記データ受信手段により受信したデータを、前記記録用紙格納手段に格納された記録用紙に印刷する印刷手段と、前記印刷手段により印刷するデータが複数枚の記録用紙に渡る場合に、前記印刷手段により印刷した第１記録用紙と、前記第１記録用紙の次に印刷されようとする第２記録用紙とが同一種別の記録用紙であるか否かを判断する用紙種別判断手段と、前記用紙種別判断手段により、異なる種別の記録用紙であると判断された場合に、前記データ受信手段により受信したデータの始めから前記印刷手段に再印刷させる印刷制御手段と、を備えることを特徴とする。
【０００７】
請求項２に記載の印刷装置は、請求項１に記載の印刷装置に加え、前記データ受信手段は、前記データとして他の通信装置から送信されたファクシミリデータを受信し、前記印刷手段は、前記ファクシミリデータを印刷することを特徴とする。
【０００８】
請求項３に記載の印刷装置は、請求項１または請求項２に記載の印刷装置に加え、前記用紙種別判断手段は、前記記録用紙の種別として、記録用紙の用紙サイズが同一であるかを判断することを特徴とする。
【０００９】
請求項４に記載の印刷装置は、請求項３に記載の印刷装置に加え、前記用紙種別判断手段により、異なる種別の記録用紙であると判断された場合に、変倍が必要であるかを、前記第１記録用紙の用紙サイズおよび前記第２記録用紙の用紙サイズから判断するデータ変倍判断手段と、前記データ変倍判断手段により変倍が必要であると判断した場合には、前記データ受信手段により受信したデータを、記録媒体の種別に応じて変倍するデータ変倍手段と、をさらに備え、前記印刷制御手段は、前記データ変倍手段により変倍したデータを、前記印刷手段に再印刷させることを特徴とする。
【００１０】
また、請求項５に記載の印刷装置は、通信回線を介してデータを受信するデータ受信手段と、複数種別の記録用紙がそれぞれ格納可能な記録用紙格納手段と、前記データ受信手段により受信したデータを、前記記録用紙格納手段に格納された記録用紙に印刷する印刷手段と、前記印刷手段により印刷するデータが複数枚の記録用紙に渡る場合に、前記記録用紙格納手段に格納された複数種別の記録用紙の中から、記録用紙の残量が、他の記録用紙の残量より多い記録用紙を判断する用紙残量判断手段と、前記用紙残量判断手段により判断された記録用紙を、前記印刷手段によりデータを印刷する記録用紙として選択する記録用紙選択手段と、を備えることを特徴とする。
【発明の効果】
【００１１】
このような構成により、受信した印刷データを印刷していた種別（例えば、用紙サイズ）の記録用紙が途中で用紙切れになった場合であっても、ユーザは、用紙種別の揃った印刷物を得ることができ、かつ、印刷データを蓄積する記憶領域の圧迫を防ぐことができる。
【００１２】
特に、ファクシミリ装置において、ファクシミリデータを受信する場合には、受信データの用紙サイズが受信側で分からないため、用紙サイズを変更して再印刷すれば、受信側のユーザは、欲しい受信データを確実に受信できることとなる。また、ファクシミリ装置における受信印刷処理の場合には、ユーザが外出中など、用紙を補給できないような状況下であっても、データを次々に受信する可能性が高いため、記憶領域の圧迫を防ぐことができる。
【００１３】
また、ファクシミリデータは、一般的に、送信した文章や画像等を送信先のユーザに読んでもらうことが目的であるため、受信側では、記録用紙からはみ出して印刷するよりも、確実に内容が把握できるような印刷物が要求される。したがって、印刷データを受信したデータサイズのまま印刷することによって、記録用紙から画像がはみ出す場合には、データサイズを変倍することにより、受信した印刷データの用紙サイズが用紙切れであった場合であっても、ユーザは、用紙サイズの揃った確実に内容が把握できる印刷物として得られるようになる。
【００１４】
また、格納された記録用紙の残量をそれぞれ用紙種別ごとに比較して、予め記録用紙の残量の多い記録用紙に対して印刷処理を行うことにより、受信した印刷データの印刷途中で用紙切れになることを予め防止でき、ユーザは、用紙種別の揃った印刷物を得ることができ、かつ、印刷データを蓄積する記憶領域の圧迫を防ぐことができる。
【発明を実施するための最良の形態】
【００１５】
以下に本発明の実施形態を図面とともに説明する。
【００１６】
（本実施形態の概要）
本実施形態の概要について、図１を用いて説明する。
【００１７】
ファクシミリ装置２において、通信回線を介して送信側のファクシミリ装置から受信したファクシミリデータについて、記録用紙に印刷処理を行う。このファクシミリデータについて印刷中に、印刷処理が行われる記録用紙が格納された用紙トレイが空になった場合であって、他の用紙トレイには、異なる用紙サイズの記録用紙しかない時には、印刷済みの部分を含むファクシミリデータの先頭から、再度印刷し直す。
【００１８】
また、このとき、異なる用紙サイズの記録用紙であって、その用紙サイズの記録用紙に、印刷中のファクシミリデータの画像が全て収まるように印刷するために、ファクシミリデータについて変倍が必要であると判断した場合には、そのファクシミリデータを変倍し、ファクシミリデータの先頭から、新たな用紙サイズの記録用紙に、再度印刷し直す。
【００１９】
例えば、図１では、受信したファクシミリデータを、Ａ４サイズの記録用紙に印刷する場合であって、印刷結果物が２枚の記録用紙に渡るケースを例に挙げている。このとき、用紙トレイには、Ａ４サイズの記録用紙が一枚しか収容されておらず、他の用紙トレイには、ＬＥＴＴＥＲサイズの記録用紙が複数枚収容されている。すなわち、ファクシミリデータをＡ４サイズで印刷しようとすると、１枚目を印刷した段階で、用紙切れが発生する。このような場合は、再度、印刷データの先頭、すなわちＡ４サイズに印刷したファクシミリデータについても、再度ＬＥＴＴＥＲサイズの記録用紙に印刷し直す。
【００２０】
（ファクシミリ装置の構成）
次に本実施形態におけるファクシミリ装置２の構成について、図２から図４を用いて説明する。
【００２１】
図２は、本実施形態のファクシミリ装置２の概略構成図であり、図３は、このファクシミリ装置２の内部構成図である。また、図４は、不揮発性ＲＡＭ２７に記憶された用紙サイズ対応テーブルである。
【００２２】
本実施形態のファクシミリ装置２は、図３に示すように、ＣＰＵ２１、ＲＯＭ２３、ＲＡＭ２５、不揮発性ＲＡＭ２７、操作部２９、表示部３１、給紙部３３、印字部３５、モデム３７、読取部３９が、それぞれバスに接続されており、これらの各要素間でのデータのやりとりが、このバスを介して行われている。
【００２３】
図２に示すように、本実施形態のファクシミリ装置２は、給紙部３３として、３種類の用紙トレイ（トレイ１、トレイ２、トレイ３）および各用紙トレイから、１枚ずつ記録用紙を搬送するための給紙ローラをそれぞれ備えている。また、印字部３５として、感光部、定着部等を備えており、給紙部３３から給紙された記録用紙に対して、印刷データとして形成された画像を印刷する。印刷後の記録用紙は、排出部から排出されることで、ユーザは、所望の印刷物を得ることができる。
【００２４】
また、各用紙トレイには、それぞれ用紙検出センサ（図示せず）が備えられており、各用紙トレイの用紙切れを検出する。なお、本実施形態では、トレイ１にはＡ４サイズの記録用紙ＰＡが、トレイ２にはＢ５サイズの記録用紙ＰＢが、トレイ３には、ＬＥＴＴＥＲサイズの記録用紙ＰＬが、それぞれ収容されている。
【００２５】
また、ファクシミリ装置２は、読取部３９を備えており、所定の解像度で原稿画像を読み取る。また、図２に示すように、操作部２９は、このファクシミリ装置２を操作するためのもので、各種の操作キーからなる。また、表示部３１は、操作部２９により操作された操作内容や、各種メッセージ等を表示する。
【００２６】
モデム３７は、公衆回線を介して、外部のファクシミリ装置との信号の伝送を行うものであり、伝送手順信号をやりとりするための低速モデム機能、および、おもに画情報をやりとりするための高速モデム機能を備えている。読み取られた原稿画像は、送信データとして、モデム３７から、通信回線を介して、送信先のファクシミリ装置に対してファクシミリ送信する。また、送信元であるファクシミリ装置から、通信回線を介して、受信データとして、モデム３７からデータを受信する。
【００２７】
不揮発性ＲＡＭ２７は、用紙トレイと、各用紙トレイに収容された記録用紙の用紙サイズとが、対応付けて記憶されている用紙サイズ対応テーブル（図４参照）を記憶する。この用紙サイズ対応テーブルは、予め、ユーザが操作部２９を操作することによって、設定登録することができる。また、この不揮発性ＲＡＭ２７には、ファクシミリ装置から受信した受信データを復号化した記録データや、読取部３９により読み取られた送信用の記録データを記憶する記録データ保持手段を有する。
【００２８】
ＣＰＵ２１は、ファクシミリ装置２が行うファクシミリ伝送制御処理や、印刷記録制御処理等を行うものであり、ＲＯＭ２３は、ＣＰＵ２１により実行される制御処理プログラムや、制御処理プログラムを実行するときに必要な各種データなどを記憶する。また、ＲＡＭ２５は、ＣＰＵ２１によって制御処理プログラムが実行されるときに、一時的にデータ等を記憶するメモリ領域である。
【００２９】
通信回線を介して、受信データが受信された場合の通信処理について説明する。
【００３０】
まず、発呼側（通信回線を介して接続された外部のファクシミリ装置）から、ファクシミリデータを送信する旨のＣＮＧ信号が送出される。被呼側（受信側のファクシミリ装置、本実施形態におけるファクシミリ装置２）は、通信回線を介して、モデム３７よりＣＮＧ信号を検出すると、自装置が有する能力（印刷可能な用紙サイズや印刷可能な解像度等）等を、発呼側に通知する。
【００３１】
発呼側は、被呼側から通知された能力等から、送信するファクシミリデータの印刷時における用紙サイズや解像度等を決定する。そして、決定されたファクシミリデータをＭＨ／ＭＲ方式により圧縮し、用紙サイズや解像度等の付加情報を付けて被呼側へ送信する。被呼側のモデム３７から、このファクシミリデータが受信データとして受信されると、被呼側では、受信データを復号化して記録データとして不揮発性ＲＡＭ２７の記録データ保持手段に格納する。受信データとして受信したファクシミリデータを記録データとして全て格納すると、この格納された記録データを画像処理化して印刷データに変換した上で、記録用紙へ印刷処理が行われる。
【００３２】
（ファックス受信記録処理）
ファクシミリデータの受信記録処理について、図５から図７のフローチャートを用いて説明する。
【００３３】
ファクシミリ装置２は、電源ＯＮ時は、常にファクシミリデータ（受信データ）を受信したかについて監視する（Ｓ１１０）。ここでは、発呼側からのＣＮＧ（コーリングトーン）信号を受信したかにより判断する。そして、ファクシミリデータの受信があると判断した場合に（Ｓ１１０：Ｙｅｓ）、上述のように、ファクシミリデータを記録データに変換した上で、不揮発性ＲＡＭ２７の記録データ保持手段へ格納する（Ｓ１２０）。
【００３４】
ファクシミリデータを全て受信し、このファクシミリデータに係る記録データを全て格納するまで、Ｓ１１０からＳ１３０までの処理が繰り返し行われる。記録データを全て格納すると（Ｓ１３０：Ｙｅｓ）、Ｓ１４０へ移行し、記録用紙への印刷処理が行われる。
【００３５】
印刷処理について、図６および図７を用いて説明する。
【００３６】
まず、受信したファクシミリデータのヘッダ情報より、用紙サイズが決定されるため、この用紙サイズの記録用紙が格納された用紙トレイを、不揮発性ＲＡＭ２７に記憶された用紙サイズ対応テーブルを参照して選択する（Ｓ２１０）。例えば、Ａ４サイズのファクシミリデータを受信した場合には、Ｓ２１０にて、トレイ１が選択される。もし、ここで、トレイ１に記録用紙が収納されていない場合や、Ａ４サイズの記録用紙を収納する用紙トレイが用意されていない場合は、Ａ４サイズ以外の記録用紙が収納された用紙トレイが選択されることとなる。
【００３７】
次のＳ２１０にて選択された用紙トレイに収納された記録用紙の用紙サイズを用紙サイズ対応テーブルにより読み出す。そして、この用紙サイズ対応テーブルにて読み出された用紙サイズから、記録データ保持手段に格納された記録データを変倍する必要があるかを判断する（Ｓ２１３）。
【００３８】
ここで、記録データを変倍する必要があると判断した場合は（Ｓ２１３：Ｙｅｓ）、記録データを変倍し、その変倍した記録データを記録データ保持手段に上書き保存する（Ｓ２１７）。その後、Ｓ２２０へ移行する。記録データを変倍する必要がないと判断した場合は（Ｓ２１３：Ｎｏ）、記録データを変倍することなく、Ｓ２２０へ移行する。
【００３９】
記録データへ変倍する必要があるか否かの判断は、互いの用紙サイズの幅方向の長さの差が、１０ｍｍ以上であるかにより判断する。例えば、Ｓ２１０にて選択された用紙トレイが、トレイ３である場合、トレイ３に収容されている用紙サイズはＬＥＴＴＥＲサイズである。このＡ４サイズとＬＥＴＴＥＲサイズの記録用紙の幅方向の差は、６ｍｍ程度であり、Ａ４サイズとそれほど変わらない。よって、トレイ３が選択されれば、Ｓ２１３でＮｏと判断され、Ｓ２２０へ移行する。
【００４０】
一方、Ｓ２１０にて選択された用紙トレイがトレイ２である場合、トレイ２に格納されている用紙サイズは、Ｂ５サイズであると用紙サイズテーブルより確認される。Ａ４サイズとＢ５サイズとでは、幅方向の用紙サイズの差が約３０ｍｍ程あり、そのまま印刷処理を続けると、印刷データが記録用紙からはみ出る場合がある。したがって、本実施形態では、トレイ２が選択されれば、Ｓ２１３でＹｅｓと判断され、Ｓ２１７へ移行する。
【００４１】
そして、Ｓ２１７では、記録データ保持手段に格納された記録データを変倍する。本実施形態では、記録データの幅方向の長さが、Ｂ５サイズに収まる変倍率（例えば、８０％の拡大率）にて、記録データのデータサイズを縮小する。新たに作成した変倍後の記録データを、記録データ保持手段の変倍前の記録データに上書き保存する。そして、Ｓ２２０へ移行する。
【００４２】
続いて、Ｓ２２０で、選択した用紙トレイの用紙サイズをＲＡＭ２５に記憶する。ここでは、トレイ１に対応するＡ４サイズがＲＡＭ２５に記憶される。そして、記録開始位置のポインタを記録データ保持手段に格納された記録データの先頭位置にセットする（Ｓ２３０）。そして、ポインタがセットされた先頭位置から、ポインタを更新しつつ、印刷データとして展開し、１ページ分の印刷データとして展開されると、その展開された印刷データを記録用紙に印刷する（Ｓ２４０）。
【００４３】
記録用紙へ１ページ分の印刷が終了すると、Ｓ２５０へ移行し、印刷後の印刷データ位置が途中であるか、すなわち、続けて印刷する印刷データがあるかを、記録データ保持手段に格納された記録データにセットされたポインタの位置によって判断する。
【００４４】
ここで、記録データ保持手段に格納された１件のファクシミリデータに係る記録データを、全て印刷した場合には（Ｓ２５０：Ｎｏ）、記録データ保持手段に記録した、この印刷済みの記録データを削除して（Ｓ２６０）、本処理を終了する。
【００４５】
一方、Ｓ２５０にて、記録データが途中であると判断された場合は（Ｓ２５０：Ｙｅｓ）、図７のＳ２７０へ移行し、現在選択されている用紙トレイ（トレイ１）に格納された記録用紙が用紙切れか否かを判断する。この判断は、用紙トレイに備えられた用紙検出センサにより判断する。
【００４６】
用紙検出センサにより、用紙トレイ内に記録用紙がある、すなわち用紙切れでないと判断した場合は（Ｓ２７０：Ｎｏ）、図６のＳ２４０へ戻り、記録データ保持手段に記録された記録データについて、ポインタが位置する続きの記録データを、印刷データに展開し、記録用紙に印刷する印刷処理を行う。
【００４７】
一方、Ｓ２７０において、用紙トレイに収容された記録用紙が、用紙切れであると判断した場合には（Ｓ２７０：Ｙｅｓ）、Ｓ２８０に移行し、他の用紙トレイ（トレイ２またはトレイ３）に記録用紙が収容されているかについて、各用紙トレイの用紙検出センサにより判断する。すなわち、ここでは、Ａ４サイズの記録用紙が格納されたトレイ１が用紙切れであると判断されたため、トレイ２またはトレイ３に記録用紙がセットされているかを判断する。
【００４８】
他の用紙トレイに記録用紙が収容されていると判断すると（Ｓ２８０：Ｙｅｓ）、記録用紙が収容されていると判断された用紙トレイが選択される（Ｓ２９０）。ここで、複数の用紙トレイに記録用紙があると判断された場合には、各用紙トレイに格納された用紙サイズを、用紙サイズ対応テーブルより、それぞれ確認し、用紙切れと判断された用紙トレイに格納された用紙サイズ、すなわち、Ｓ２２０にてＲＡＭ２５に記憶された用紙サイズに近いサイズの用紙トレイを選択するとよい。
【００４９】
例えば、本実施形態では、トレイ２に収容されたＢ５サイズの記録用紙より、トレイ３に収容されたＬＥＴＴＥＲサイズの記録用紙の方が、Ａ４サイズに近いサイズの用紙サイズであるため、トレイ３が選択される。こうすることで、印刷データを、できるだけ、受信サイズに沿った用紙サイズの記録用紙に印刷した印刷物を得ることができる。
【００５０】
Ｓ３００では、Ｓ２９０にて選択した用紙トレイの用紙サイズが、Ｓ２２０にてＲＡＭ２５に記憶された用紙サイズと同じであるか、すなわち、用紙トレイに、今まで印刷処理していた記録用紙と同じサイズの記録用紙が収容されているかを判断する（Ｓ３００）。用紙サイズが同じであると判断した場合は（Ｓ３００：Ｙｅｓ）、Ｓ２４０へ戻り、印刷データの続きを選択された用紙トレイに収容された記録用紙に印刷する。
【００５１】
一方、選択した用紙トレイの用紙サイズと、ＲＡＭ２５に記憶していた用紙サイズとが異なる場合（Ｓ３００：Ｎｏ）、Ｓ２１３へ戻り、Ｓ２９０にて選択された用紙トレイの用紙サイズから、記録データ保持手段に格納された記録データを変倍する必要があるかを判断する。
【００５２】
なお、Ｓ２２０では、Ｓ２９０にて選択された用紙トレイの用紙サイズをＲＡＭ２５に上書きで記憶し、再度、ポインタを記録データ保持手段に格納された記録データの先頭まで戻して（Ｓ２３０）、１件のファクシミリデータにかかる記録データの最初から、新たに選択された用紙トレイに収容された記録用紙に対して、印刷処理を開始する。
【００５３】
Ｓ２８０にて、いずれの用紙トレイにも記録用紙が格納されていない場合（Ｓ２８０：Ｎｏ）、表示部３１に、選択された用紙トレイ（本実施形態の場合には、トレイ１）に、記録用紙を補給する旨のエラーメッセージを表示し（Ｓ３３０）、用紙トレイに記録用紙が補給されるのを待つ（Ｓ３４０：Ｎｏ、Ｓ２８０：Ｎｏ）。
【００５４】
Ｓ３４０にて、選択中の用紙トレイ、すなわち、Ｓ２７０にて、用紙切れと判断された用紙トレイ（トレイ１）に記録用紙が補給されたと判断した場合には、Ｓ２４０へ移行し、印刷データの続きについて、印刷処理を続行する。
【００５５】
一方、選択中の用紙トレイ以外の用紙トレイ（トレイ２またはトレイ３）に記録用紙が補給された場合、すなわち、選択中の用紙トレイに記録用紙が補給されていないと判断された場合であって（Ｓ３４０：Ｎｏ）、他の用紙トレイに記録用紙があると判断された場合には（Ｓ２８０：Ｙｅｓ）、Ｓ２９０へ移行し、上述したＳ２９０以降の処理を行うこととなる。別の用紙トレイに記録用紙が補給された場合にも、その補給された記録用紙の用紙サイズに応じた印刷処理を再開することができる。
【００５６】
なお、本発明の実施形態について説明したが、本発明は、上記実施形態に限定されるものではなく、本発明の要旨を逸脱しない範囲内にて、種々の態様を採ることができる。
【００５７】
例えば、本実施形態では、ファクシミリ装置を例に説明したが、ファクシミリ装置に限らず、通信回線を介して受信したデータを、記録用紙に印刷する印刷装置であればよい。
【００５８】
また、用紙種別の判断処理として、用紙サイズについて説明したが、これに限らず、用紙の色や用紙の質などの用紙種別について判断するようにしてもよい。
【００５９】
なお、印刷データを変倍する必要があるかの判断は、本実施形態の方法に限らず、例えば、記録していた記録用紙より小さな記録用紙である場合には、必ず変倍する必要があると判断するようにしてもよい。
【００６０】
また、用紙サイズのような用紙種別は、用紙トレイに収容されている記録用紙を、毎回、用紙センサ等で判断するようにしてもよい。また，用紙トレイは、手差しトレイであってもよい。また、用紙補給時に操作部２９で、補給した記録用紙の用紙サイズを、ユーザに入力させても良い。
【００６１】
記録用紙を補給する旨のメッセージ表示の際には、○○枚以上の用紙を補給する旨のメッセージを表示させ、さらに用紙切れにより、再印刷を必要となることを、予め防止することができる。
【００６２】
また、予め、操作部２９の操作により、ユーザが、印刷途中で用紙切れになった場合に、続けて異なる種別の記録用紙に印刷するか、印刷処理を中止するか、上述した本実施形態のように始めから印刷し直すか、について設定させてもよい。そして、この設定内容に従い、印刷処理を行うようにしてもよい。
【００６３】
また、記録用紙の残量を認識できるセンサを搭載しているファクシミリ装置であれば、受信したファクシミリデータに設定された用紙サイズに関わらず、用紙トレイに格納された記録用紙の残量が多い用紙トレイを優先的に選択するようにしてもよい。この場合は、図６の印刷処理において、各用紙トレイに備えられた記録用紙残量センサにより記録用紙の残量を比較し、その比較結果により、最も記録用紙の残量が多いと判断した用紙トレイを選択する。そして、記録データを印刷データに展開し記録用紙に印刷する前に、記録データの変倍が必要か否かの判断を行い、変倍が必要であると判断した場合には、変倍した記録データを記録データ保持手段に保存してから、印刷処理へ移行する。これにより、予め、印刷途中で記録用紙の用紙切れになることをできる限り防止することができる。
【図面の簡単な説明】
【００６４】
【図１】本実施形態の概略について説明する説明図である。
【図２】本実施形態のファクシミリ装置を表す装置概略図である。
【図３】本実施形態のファクシミリ装置を表す構成図である。
【図４】本実施形態のファクシミリ装置が記憶する用紙サイズ管理テーブルである。
【図５】本実施形態におけるファクシミリ装置の動作を表すフローチャートである。
【図６】本実施形態におけるファクシミリ装置の記録処理の動作を表すフローチャートである。
【図７】本実施形態におけるファクシミリ装置の記録処理の動作を表すフローチャートである。
【符号の説明】
【００６５】
２  ファクシミリ装置（印刷装置）
２１  ＣＰＵ
２３  ＲＯＭ
２５  ＲＡＭ
２７  不揮発性ＲＡＭ
２９  操作部
３１  表示部
３３  給紙部（記録用紙格納手段）
３５  印字部（印刷手段）
３７  モデム（データ受信手段）
３９  読取部
【図１】
2007301926.tif 000003
【図２】
2007301926.tif 000004
【図３】
2007301926.tif 000005
【図４】
2007301926.tif 000006
【図５】
2007301926.tif 000007
【図６】
2007301926.tif 000008
【図７】
2007301926.tif 000009